(57)【要約】【課題】施工不良を低減させることができ、施工作業の信頼性を向上させることができる既設ガセットプレートの改修工法を提供すること。【解決手段】建物の架構２の構面内において斜材が取り付けられるガセットプレートを補強する既設ガセットプレート５の改修工法であって、既設のガセットプレート５と、既設のガセットプレート５の表面側に配置された第１の補強部材および／または既設のガセットプレート５の裏面側に配置された第２の補強部材７とを、ボルト８接合したことを特徴とする。【選択図】  図１
2008150833.tif 000002
【特許請求の範囲】
【請求項１】
建物の架構の構面内において斜材が取り付けられるガセットプレートを補強する既設ガセットプレートの改修工法であって、
既設のガセットプレートと、既設のガセットプレートの表面側に配置された第１の補強部材および／または既設のガセットプレートの裏面側に配置された第２の補強部材とを、ボルト接合したことを特徴とする既設ガセットプレートの改修工法。
【請求項２】
建物の架構の構面内において斜材が取り付けられるガセットプレートであって、
既設のガセットプレートと、既設のガセットプレートの表面側に配置された第１の補強部材および／または既設のガセットプレートの裏面側に配置された第２の補強部材とが、ボルト接合されていることを特徴とするガセットプレート。
【請求項３】
前記第１の補強部材に設けられたフランジおよび／または前記第２の補強部材に設けられたフランジと、前記架構を構成する柱および／または梁とが、面接触するように構成されていることを特徴とする請求項２に記載のガセットプレート。
【請求項４】
前記第１の補強部材に設けられたフランジおよび／または前記第２の補強部材に設けられたフランジと、前記柱および／または前記梁とが、ボルト接合されていることを特徴とする請求項３に記載のガセットプレート。
【請求項５】
前記第１の補強部材および／または前記第２の補強部材が、前記既設のガセットプレートの全体を覆うように構成されていることを特徴とする請求項２ないし４のいずれか一項に記載のガセットプレート。
【発明の詳細な説明】
【技術分野】
【０００１】
本発明は、既設ガセットプレートの改修工法に関するものである。
【背景技術】
【０００２】
建物の架構の構面内において斜材（ブレース）が取り付けられるガセットプレートを補強（改修）する工法としては、例えば、特許文献１に開示されたものが知られている。
【特許文献１】特開２００４−３２４２７０号公報
【発明の開示】
【発明が解決しようとする課題】
【０００３】
上述した特許文献１に開示されている発明においては、既設のガセットプレートの強度を増加させるための補剛リブが、既設のガセットプレートに対して、溶接により接合されている。
しかしながら、このような溶接による接合は、天候の影響を受けやすく、かつ、作業者の技能に大きく左右されるため、施工不良が生じやすく、施工作業の信頼性が低下してしまうおそれがあった。
【０００４】
本発明は、上記の事情に鑑みてなされたもので、施工不良を低減させることができ、施工作業の信頼性を向上させることができる既設ガセットプレートの改修工法を提供することを目的としている。
【課題を解決するための手段】
【０００５】
本発明は、上記課題を解決するため、以下の手段を採用した。
本発明による既設ガセットプレートの改修工法は、建物の架構の構面内において斜材が取り付けられるガセットプレートを補強する既設ガセットプレートの改修工法であって、既設のガセットプレートと、既設のガセットプレートの表面側に配置された第１の補強部材および／または既設のガセットプレートの裏面側に配置された第２の補強部材とを、ボルト接合している。
このような既設ガセットプレートの改修工法によれば、既設のガセットプレートと、第１の補強部材と、第２の補強部材とを、ボルトおよびナットにより容易に接合することができるので、改修工事に要する作業時間の短縮化を図ることができ、施工費用の低減化を図ることができる。
また、ボルトおよびナットによる接合は、溶接接合のように天候の影響を受けにくく、かつ、作業者の技能に左右されるおそれが少ないので、施工不良を低減させることができ、施工作業の信頼性を向上させることができる。
【０００６】
本発明によるガセットプレートは、建物の架構の構面内において斜材が取り付けられるガセットプレートであって、既設のガセットプレートと、既設のガセットプレートの表面側に配置された第１の補強部材および／または既設のガセットプレートの裏面側に配置された第２の補強部材とが、ボルト接合されている。
このようなガセットプレートによれば、既設のガセットプレートが、第１の補強部材および／または第２の補強部材により補強されることとなるので、既設のガセットプレートに比べて、その面外方向の座屈耐力を向上させることができる。
また、既設のガセットプレートと、第１の補強部材と、第２の補強部材とを、ボルトおよびナットにより容易に接合することができるので、改修工事に要する作業時間の短縮化を図ることができ、施工費用の低減化を図ることができる。
さらに、ボルトおよびナットによる接合は、溶接接合のように天候の影響を受けにくく、かつ、作業者の技能に左右されるおそれが少ないので、施工不良を低減させることができ、施工作業の信頼性を向上させることができる。
【０００７】
上記ガセットプレートにおいて、前記第１の補強部材に設けられたフランジおよび／または前記第２の補強部材に設けられたフランジと、前記架構を構成する柱および／または梁とが、面接触するように構成されているとさらに好適である。
このようなガセットプレートによれば、圧縮力に対してガセットプレートが面外方向に変形しようとした場合に、その変形がフランジを介して柱および／または梁に伝達されることとなるので、その面外方向の座屈耐力をさらに向上させることができる。
【０００８】
上記ガセットプレートにおいて、前記第１の補強部材に設けられたフランジおよび／または前記第２の補強部材に設けられたフランジと、前記柱および／または前記梁とが、ボルト接合されているとさらに好適である。
このようなガセットプレートによれば、圧縮力に対してガセットプレートが面外方向に変形しようとした場合に、その変形がフランジおよびボルトを介して柱および／または梁に伝達されることとなるので、その面外方向の座屈耐力をより一層向上させることができる。
【０００９】
上記ガセットプレートにおいて、前記第１の補強部材および／または前記第２の補強部材が、前記既設のガセットプレートの全体を覆うように構成されているとさらに好適である。
このようなガセットプレートによれば、ガセットプレート全体の板厚を増加させることができて、既設のガセットプレートに比べて、その引張耐力を大幅に向上させることができる。
【発明の効果】
【００１０】
本発明による既設ガセットプレートの改修工法によれば、施工不良を低減させることができ、施工作業の信頼性を向上させることができるという効果を奏する。
【発明を実施するための最良の形態】
【００１１】
以下、本発明による既設ガセットプレートの改修工法の第１実施形態を、図面を参照しながら説明する。
図１は、本実施形態による既設ガセットプレートの改修工法により改修工事が実施された（施された）ガセットプレート１の側面図であり、図２（ａ）は図１のI−I矢視断面図である。
【００１２】
本実施形態による既設ガセットプレートの改修工法は、まず、建物の架構（例えば、通信用の鉄塔）２を構成する柱３と梁４との接合部に溶接接合された、既設のガセットプレート５の周縁部（自由端部）に、取付ボルトを貫通させる（通す）ためのボルト穴を板厚方向に貫通するようにあける。
つぎに、既設のガセットプレート５の周縁部にあけられたボルト穴と同じ間隔でかつ同じ径であけられたボルト穴を有する第１の補強部材６を、既設のガセットプレート５の表面側に配置し、既設のガセットプレート５の周縁部にあけられたボルト穴と同じ間隔でかつ同じ径であけられたボルト穴を有する第２の補強部材７を、既設のガセットプレート５の裏面側に配置する。
【００１３】
そして、既設のガセットプレート５のボルト穴と、第１の補強部材６のボルト穴と、第２の補強部材７のボルト穴とが一致するようにあわせた後、第２の補強部材７の側から各ボルト穴にボルト８を差し込み、第１の補強部材６の側から雄ネジ部を有するボルト８の一端部（ボルトヘッドを有する側と反対側の端部）を突出させる。
最後に、ボルト８の雄ネジ部にナット９の雌ネジ部を螺合させて締め付け、第１の補強部材６および第２の補強部材７を既設のガセットプレート５に固定する。
【００１４】
なお、図１および図２（ａ）からわかるように、第１の補強部材６および第２の補強部材７はそれぞれ、断面視Ｌ字形状を呈する板状の部材である。また、この改修工事が実施されたガセットプレート１には、図１中に二点鎖線で示すように、履歴型ブレース（斜材）の取付部１０が接合されることとなる。
また、ガセットプレート１に接合される履歴型ブレースとしては、例えば、本出願人が先に出願した特開２０００−８１０８５号公報に開示されているブレース、すなわち、特定部位（ダンパー部分）の断面部が塑性化領域とされたブレース等が採用されることとなる。
【００１５】
本実施形態による既設ガセットプレートの改修工法によれば、既設のガセットプレート５と、第１の補強部材６と、第２の補強部材７とを、ボルト８およびナット９により容易に接合することができるので、改修工事に要する作業時間の短縮化を図ることができ、施工費用の低減化を図ることができる。
また、ボルト８およびナット９による接合は、溶接接合のように天候の影響を受けにくく、かつ、作業者の技能に左右されるおそれが少ないので、施工不良を低減させることができ、施工作業の信頼性を向上させることができる。
そして、本実施形態による既設ガセットプレートの改修工法により改修工事が実施されたガセットプレート１によれば、その面外方向の座屈耐力が、図５に破線で示すように、図５に細い実線で示した既設のガセットプレート５に比べて大幅に向上することになる。
【００１６】
本発明による既設ガセットプレートの改修工法の第２実施形態を、図２（ｂ）を用いて説明する。
本実施形態による既設ガセットプレートの改修工法は、まず、建物の架構（例えば、通信用の鉄塔）２（図１参照）を構成する柱３（図１参照）と梁４（図１参照）との接合部に溶接接合された、既設のガセットプレート５の周縁部（自由端部）に、取付ボルトを貫通させる（通す）ためのボルト穴を板厚方向に貫通するようにあける。
つぎに、既設のガセットプレート５の周縁部にあけられたボルト穴と同じ間隔でかつ同じ径であけられたボルト穴を有する第１の補強部材６を、既設のガセットプレート５の表面側に配置する。
【００１７】
そして、既設のガセットプレート５のボルト穴と、第１の補強部材６のボルト穴とが一致するようにあわせた後、既設のガセットプレート５の側から各ボルト穴にボルト８を差し込み、第１の補強部材６の側から雄ネジ部を有するボルト８の一端部（ボルトヘッドを有する側と反対側の端部）を突出させる。
最後に、ボルト８の雄ネジ部にナット９の雌ネジ部を螺合させて締め付け、第１の補強部材６を既設のガセットプレート５に固定する。
【００１８】
本実施形態による既設ガセットプレートの改修工法によれば、既設のガセットプレート５と、第１の補強部材６とを、ボルト８およびナット９により第１実施形態のものよりも容易に接合することができるので、改修工事に要する作業時間の短縮化をさらに図ることができ、施工費用の低減化をさらに図ることができる。
また、ボルト８およびナット９による接合は、溶接接合のように天候の影響を受けにくく、かつ、作業者の技能に左右されるおそれが少ないので、施工不良を低減させることができ、施工作業の信頼性を向上させることができる。
そして、本実施形態による既設ガセットプレートの改修工法により改修工事が実施されたガセットプレート２１によれば、その面外方向の座屈耐力が向上することになる。
【００１９】
本発明による既設ガセットプレートの改修工法の第３実施形態を、図２（ｃ）を用いて説明する。
本実施形態による既設ガセットプレートの改修工法は、まず、建物の架構（例えば、通信用の鉄塔）２（図１参照）を構成する柱３（図１参照）と梁４（図１参照）との接合部に溶接接合された、既設のガセットプレート５の周縁部（自由端部）に、取付ボルトを貫通させる（通す）ためのボルト穴を板厚方向に貫通するようにあける。
つぎに、既設のガセットプレート５の周縁部にあけられたボルト穴と同じ間隔でかつ同じ径であけられたボルト穴を有する第１の補強部材６を、既設のガセットプレート５の表面側に配置し、既設のガセットプレート５の周縁部にあけられたボルト穴と同じ間隔でかつ同じ径であけられたボルト穴を有する第２の補強部材７を、既設のガセットプレート５の裏面側に配置する。
【００２０】
そして、既設のガセットプレート５のボルト穴と、第１の補強部材６のボルト穴と、第２の補強部材７のボルト穴とが一致するようにあわせた後、第２の補強部材７の側から各ボルト穴にボルト８を差し込み、第１の補強部材６の側から雄ネジ部を有するボルト８の一端部（ボルトヘッドを有する側と反対側の端部）を突出させる。
つづいて、ボルト８の雄ネジ部にナット９の雌ネジ部を螺合させて締め付け、第１の補強部材６および第２の補強部材７を既設のガセットプレート５に固定する。
【００２１】
第１の補強部材６および第２の補強部材７を既設のガセットプレート５に固定し終えたら、第１の補強部材６および第２の補強部材７のもう一方の面にあけられたボルト穴と同じ間隔でかつ同じ径であけられたボルト穴を有する第３の補強部材１１を、第１の補強部材６および第２の補強部材７のもう一方の面上に配置する。
そして、第１の補強部材６および第２の補強部材７のもう一方の面にあけられたボルト穴と、第３の補強部材１１のボルト穴とが一致するようにあわせた後、第３の補強部材１１の側から各ボルト穴にボルト８を差し込み、第１の補強部材６および第２の補強部材７の側から雄ネジ部を有するボルト８の一端部（ボルトヘッドを有する側と反対側の端部）を突出させる。
最後に、ボルト８の雄ネジ部にナット９の雌ネジ部を螺合させて締め付け、第３の補強部材１１を第１の補強部材６および第２の補強部材７に固定する。
【００２２】
本実施形態による既設ガセットプレートの改修工法によれば、本実施形態による既設ガセットプレートの改修工法によれば、既設のガセットプレート５と、第１の補強部材６と、第２の補強部材７と、第３の補強部材１１とを、ボルト８およびナット９により容易に接合することができるので、改修工事に要する作業時間の短縮化を図ることができ、施工費用の低減化を図ることができる。
また、ボルト８およびナット９による接合は、溶接接合のように天候の影響を受けにくく、かつ、作業者の技能に左右されるおそれが少ないので、施工不良を低減させることができ、施工作業の信頼性を向上させることができる。
そして、本実施形態による既設ガセットプレートの改修工法により改修工事が実施されたガセットプレート３１によれば、その面外方向の座屈耐力が第１実施形態のものよりもさらに向上することになる。
【００２３】
本発明による既設ガセットプレートの改修工法の第４実施形態を、図３および図４（ａ）を用いて説明する。
図３は、本実施形態による既設ガセットプレートの改修工法により改修工事が実施された（施された）ガセットプレート４１の側面図であり、図４（ａ）は図３のIII−III矢視断面図である。
【００２４】
本実施形態による既設ガセットプレートの改修工法により改修工事が実施されたガセットプレート４１は、第１の補強部材６の、柱３と対向する端部および梁４と対向する端部と、第２の補強部材７の、柱３と対向する端部および梁４と対向する端部とに、フランジ４２が設けられているという点で上述した実施形態のものと異なる。その他の構成要素については上述した実施形態のものと同じであるので、ここではそれら構成要素についての説明は省略する。
【００２５】
図４（ａ）に示すように、各フランジ４２は、梁４（または柱３）と対向する端面が、梁４（または柱３）の表面（図４（ａ）において上側の面）と面接触するように構成されている。
【００２６】
本実施形態による既設ガセットプレートの改修工法により改修工事が実施されたガセットプレート４１によれば、その面外方向の座屈耐力が、図５に二点鎖線で示すように、図５に破線で示したフランジ４２を備えていないガセットプレート１，２１，３１に比べてさらに向上することになる。
その他の作用効果については、上述した実施形態のものと同じであるので、ここではその説明を省略する。
【００２７】
本発明による既設ガセットプレートの改修工法の第５実施形態を、図４（ｂ）を用いて説明する。
本実施形態による既設ガセットプレートの改修工法により改修工事が実施されたガセットプレート５１は、フランジ４２と梁４（または柱３）とが、ボルト８およびナット９により接合されているという点で上述した第４実施形態のものと異なる。その他の構成要素については上述した第４実施形態のものと同じであるので、ここではそれら構成要素についての説明は省略する。
【００２８】
本実施形態による既設ガセットプレートの改修工法により改修工事が実施されたガセットプレート５１によれば、その面外方向の座屈耐力が、図５に太い実線で示すように、図５に二点鎖線で示したフランジ４２と梁４（または柱３）とが、ボルト８およびナット９により接合されていないガセットプレート４１に比べてさらに向上することになる。
その他の作用効果については、上述した実施形態のものと同じであるので、ここではその説明を省略する。
【００２９】
本発明による既設ガセットプレートの改修工法の第６実施形態を、図面を参照しながら説明する。
図６（ａ）は、本実施形態による既設ガセットプレートの改修工法により改修工事が実施された（施された）ガセットプレート６１の側面図であり、図６（ｂ）は図６（ａ）のVI−VI矢視断面図である。
【００３０】
本実施形態による既設ガセットプレートの改修工法は、まず、建物の架構（例えば、通信用の鉄塔）２を構成する柱３と梁４との接合部に溶接接合された、既設のガセットプレート５の周縁部に、取付ボルトを貫通させる（通す）ためのボルト穴を板厚方向に貫通するようにあける。
つぎに、既設のガセットプレート５の周縁部にあけられたボルト穴と同じ間隔でかつ同じ径であけられたボルト穴を有する第１の補強部材６２を、既設のガセットプレート５の表面側に配置し、既設のガセットプレート５の周縁部にあけられたボルト穴と同じ間隔でかつ同じ径であけられたボルト穴を有する第２の補強部材６３を、既設のガセットプレート５の裏面側に配置する。
【００３１】
そして、既設のガセットプレート５のボルト穴と、第１の補強部材６２のボルト穴と、第２の補強部材６３のボルト穴とが一致するようにあわせた後、第２の補強部材６３の側から各ボルト穴にボルト８を差し込み、第１の補強部材６２の側から雄ネジ部を有するボルト８の一端部（ボルトヘッドを有する側と反対側の端部）を突出させる。
最後に、ボルト８の雄ネジ部にナット９の雌ネジ部を螺合させて締め付け、第１の補強部材６２および第２の補強部材６３を既設のガセットプレート５に固定する。
なお、図６（ａ）および図６（ｂ）からわかるように、第１の補強部材６２および第２の補強部材６３はそれぞれ、既設のガセットプレート５と同じ平面視形状を呈する板状の部材である。
【００３２】
本実施形態による既設ガセットプレートの改修工法によれば、既設のガセットプレート５と、第１の補強部材６２と、第２の補強部材６３とを、ボルト８およびナット９により容易に接合することができるので、改修工事に要する作業時間の短縮化を図ることができ、施工費用の低減化を図ることができる。
また、ボルト８およびナット９による接合は、溶接接合のように天候の影響を受けにくく、かつ、作業者の技能に左右されるおそれが少ないので、施工不良を低減させることができ、施工作業の信頼性を向上させることができる。
そして、本実施形態による既設ガセットプレートの改修工法により改修工事が実施されたガセットプレート６１によれば、ガセットプレート全体の板厚が増加して、引張耐力が既設のガセットプレート５に比べて大幅に向上することになる。
【００３３】
本発明による既設ガセットプレートの改修工法の第７実施形態を、図面を参照しながら説明する。
図７（ａ）は、本実施形態による既設ガセットプレートの改修工法により改修工事が実施された（施された）ガセットプレート７１の側面図であり、図７（ｂ）は図７（ａ）のVII−VII矢視断面図である。
【００３４】
本実施形態による既設ガセットプレートの改修工法により改修工事が実施されたガセットプレート７１は、第１の補強部材７２および第２の補強部材７３の周縁部（自由端部）に、外方に向かって延びるフランジ７４が設けられているという点で上述した第６実施形態のものと異なる。その他の構成要素については上述した第６実施形態のものと同じであるので、ここではそれら構成要素についての説明は省略する。
【００３５】
本実施形態による既設ガセットプレートの改修工法により改修工事が実施されたガセットプレート７１によれば、その面外方向の座屈耐力が、前述した第６実施形態のものに比べてさらに向上することになる。
その他の作用効果については、上述した第６実施形態のものと同じであるので、ここではその説明を省略する。
【００３６】
なお、本発明は、柱３および梁４の断面視形状がＨ字形を呈するものについてのみ適用され得るものではなく、図８（ａ）および図８（ｂ）に示すような断面視形状が円形を呈するものにも適用することができる。
また、図８（ｃ）および図８（ｄ）に示すような、柱３および梁４の補強用に取り付けられたリングプレートＲに、第１の補強部材６および第２の補強部材７を、ボルト８を介して接合することも可能である。
さらに、図９（ａ）および図９（ｂ）に示すような平面視形状を呈する既設のガセットプレート５に、第１の補強部材６（図示せず）および第２の補強部材７を図９（ａ）および図９（ｂ）に示す位置に配置させることもできる。
さらにまた、第６実施形態および第７実施形態のところで説明したボルト８およびナット９は、ガセットプレート６１，７１の周縁部のみだけでなく、中央部にも設けるようにすることができる。
さらにまた、第６実施形態および第７実施形態のところで説明した第１の補強部材６２，７２および第２の補強部材６３，７３は、必ずしも両方配置させる必要はなく、どちらか一方のみを配置させるようにすることもできる。
【図面の簡単な説明】
【００３７】
【図１】本発明による既設ガセットプレートの改修工法の第１実施形態により改修工事が実施されたガセットプレートの側面図である。
【図２】（ａ）は図１のI−I矢視断面図、（ｂ）は本発明による既設ガセットプレートの改修工法の第２実施形態を示す（ａ）と同様の図、（ｃ）は本発明による既設ガセットプレートの改修工法の第３実施形態を示す（ａ）と同様の図である。
【図３】本発明による既設ガセットプレートの改修工法の第４実施形態により改修工事が実施されたガセットプレートの側面図である。
【図４】（ａ）は図３のIII−III矢視断面図、（ｂ）は本発明による既設ガセットプレートの改修工法の第５実施形態を示す（ａ）と同様の図である。
【図５】改修工事前の既設のガセットプレートと、第１実施形態ないし第３実施形態により改修工事が実施されたガセットプレートと、第４実施形態により改修工事が実施されたガセットプレートと、第５実施形態により改修工事が実施されたガセットプレートとの座屈耐力を比較するためのグラフである。
【図６】（ａ）は本発明による既設ガセットプレートの改修工法の第６実施形態により改修工事が実施されたガセットプレートの側面図、（ｂ）は（ａ）のVI−VI矢視断面図である。
【図７】（ａ）は本発明による既設ガセットプレートの改修工法の第７実施形態により改修工事が実施されたガセットプレートの側面図、（ｂ）は（ａ）のVII−VII矢視断面図である。
【図８】本発明による既設ガセットプレートの改修工法の他の実施形態を説明するための図であって、（ａ）は図４（ａ）と同様の図、（ｂ）は図４（ｂ）と同様の図、（ｃ）は図４（ｂ）と同様の図、（ｄ）は（ｃ）を図において右側から見た右側面図である。
【図９】本発明による既設ガセットプレートの改修工法の別の実施形態を説明するための図であって、（ａ）および（ｂ）はそれぞれ図１、図３、図６（ａ）、および図７（ａ）と同様の図である。
【符号の説明】
【００３８】
１  ガセットプレート
２  架構
３  柱
４  梁
５  既設ガセットプレート
６  第１の補強部材
７  第２の補強部材
８  ボルト
２１  ガセットプレート
３１  ガセットプレート
４１  ガセットプレート
４２  フランジ
５１  ガセットプレート
６１  ガセットプレート
６２  第１の補強部材
６３  第２の補強部材
７１  ガセットプレート
７２  第１の補強部材
７３  第２の補強部材
【図１】
2008150833.tif 000003
【図２】
2008150833.tif 000004
【図３】
2008150833.tif 000005
【図４】
2008150833.tif 000006
【図５】
2008150833.tif 000007
【図６】
2008150833.tif 000008
【図７】
2008150833.tif 000009
【図８】
2008150833.tif 000010
【図９】
2008150833.tif 000011